【手続補正書】
【提出日】平成20年2月5日(2008.2.5)
【手続補正１】
【補正対象書類名】明細書
【補正対象項目名】００１０
【補正方法】変更
【補正の内容】
【００１０】
高いデータレートのデジタルデータを無線通信システムで送信する例示的なＨＤＲシステムは米国特許第08/963,386号明細書（米国特許第6,574,211号明細書、発明の名称“METHOD AND APPARATUS FOR HIGHER RATE PACKET DATA TRANSMISSION ”（以後'386号明細書とする））に記載されており、本出願人に譲渡され、ここで参考文献とされている。この'386号明細書に記載されているように、基地局は情報を一度に１つの加入者局へ送信し、送信レートは加入者局により集められた搬送波対干渉（Ｃ／Ｉ）測定に基づいている。加入者局は基地局とただ１つの接続を有するが、その接続は多数のトラフィックチャンネルを含んでいてもよい。基地局はそれがその加入者局へ送信するためのデータを有するときのみ情報フレームを特定の加入者局へ送信する。したがって、加入者局は基地局からデータのフレームを受信せずに長期間、多数のトラフィックチャンネルで基地局との接続を維持することができる。
【手続補正２】
【補正対象書類名】明細書
【補正対象項目名】００１８
【補正方法】変更
【補正の内容】
【００１８】
無線ネットワーク120 は単一の基地局と基地局制御装置からなり、または複数の別々に位置された無線基地局と、ネットワークで共に接続されている１つの基地局制御装置を含んでもよい。各基地局はアクセス端末とのデータの交換に使用されることができる予め定められた数のトラフィックチャンネルを有する。１つのトラフィックチャンネルがアクセス端末に割当てられるとき、そのアクセス端末はアクチブアクセス端末と呼ばれる。少なくとも１つのトラフィックチャンネルは各アクチブアクセス端末に割当てられる。無線ネットワーク120 は無線または有線Ｔ１またはＴ３、光ファイバ接続またはイーサネット（登録商標）のような任意の適切なタイプのネットワーク接続を使用してパケットデータネットワーク126と接続されることができる。無線ネットワーク120 は１よりも多くのタイプを有する多数のパケットデータネットワークに接続されてもよい。例えば別のネットワーク126 はデータサービスインターワーキング機能（ＩＷＦ）により無線ネットワーク120 と接続された公共交換電話網（ＰＳＴＮ）であってもよい。
【手続補正３】
【補正対象書類名】明細書
【補正対象項目名】００２１
【補正方法】変更
【補正の内容】
【００２１】
例示的なシステムでは、無線ネットワーク120 は各アクチブアクセス端末110 の順方向リンクデータの待ち行列を維持する。無線ネットワーク120 がアクセス端末にアドレスされたパケットデータネットワーク126からデータを受信するときにはいつでも、これはデータを対応する順方向リンクデータ待ち行列へ位置させる。
【手続補正４】
【補正対象書類名】明細書
【補正対象項目名】００２３
【補正方法】変更
【補正の内容】
【００２３】
例示的なシステムでは、順方向リンクデータの待ち行列が空ではないならば、基地局はエンコーダパケットをアクセス端末へ送信するだけである。パケットデータネットワーク126がデータをアクセス端末へ送信せず、そのアクセス端末の順方向リンクデータの待ち行列が空であるならば、基地局はエンコーダパケットをアクセス端末に送信しない。
【手続補正５】
【補正対象書類名】明細書
【補正対象項目名】００３３
【補正方法】変更
【補正の内容】
【００３３】
有効な実施形態では、構成パケットは管理時間がＩＳ−９５で使用される管理時間に匹敵する程十分に頻繁に放送される。例えば、構成パケットが４００ミリ秒毎に放送される場合、アクセス端末は４．８秒または１２の連続的な損失構成パケットの管理時間に構成パケットをデコードしなかった後、その接続を解除する。当業者はここで説明した方法から逸脱せずにトラフィックチャンネル割当情報を含んでいる構成パケットの送信に関連するタイミングを変更してもよいことを認識する。同様に、ここで説明する方法から逸脱せずに管理時間を変更してもよい。
【手続補正６】
【補正対象書類名】明細書
【補正対象項目名】００３９
【補正方法】変更
【補正の内容】
【００３９】
前述したように、別の実施形態は、その全てではないがその１つのトラフィックチャンネルの割当ての解除を示す構成パケットを受信したとき、正規のトラフィック状態202 にアクセス端末が残ることを可能にする。この実施形態では、アクセス端末の最後およびトラフィックチャンネルだけが割当てを解除され、接続用に割当てられたトラフィックチャンネルが残留しない場合にのみ、構成パケットはアクセス端末を解除状態206 に220 で転移させる。
【手続補正７】
【補正対象書類名】明細書
【補正対象項目名】００４６
【補正方法】変更
【補正の内容】
【００４６】
図３Ａはアクセス端末における管理時間処理の例示的なフローチャートである。それぞれの新しい順方向リンクタイムスロット302 では、アクセス端末はステップ304で、アクセス端末に割当てられた順方向リンク放送制御チャンネルと順方向トラフィックチャンネルとの両者で受信されたまたは受信されなかったものを評価する。順方向リンクからデコードされ、またはデコードされないものに基づいて、アクセス端末はステップ314 で解除を処理し、または次の順方向リンクタイムスロットを処理し続ける。
【手続補正８】
【補正対象書類名】明細書
【補正対象項目名】００５０
【補正方法】変更
【補正の内容】
【００５０】
図３Ｂは無線ネットワークにおける管理時間処理の例示的なフローチャートである。アクセス端末の解除処理をステップ350 で開始するとき、無線ネットワークはステップ352 で解除開始メッセージをアクセス端末へ送信する。ステップ354 で、無線ネットワークはアクセス端末から解除メッセージを受信しているか否かを評価する。無線ネットワークがアクセス端末から解除メッセージを受信するならば、現在ドロップされたアクセス端末に前に割当てられたトラフィックチャンネルリソース360 を直ちに再生する。
【手続補正９】
【補正対象書類名】明細書
【補正対象項目名】００５３
【補正方法】変更
【補正の内容】
【００５３】
ステップ356 で構成パケットで送信された情報を変更した後、基地局はステップ358 で管理時間中、変更された構成パケットを周期的に送信し続ける。管理時間の完了後、無線ネットワークはステップ360 で、現在解除されたアクセス端末に前に割当てられたトラフィックチャンネルリソースを再生する。トラフィックチャンネルリソースがステップ360 で再生された後、再生されたトラフィックチャンネルと、それらの関連するリソースはステップ362 で再度割当てられてもよい。
【手続補正１０】
【補正対象書類名】明細書
【補正対象項目名】００５４
【補正方法】変更
【補正の内容】
【００５４】
連続したステップとして示されているが、解除開始メッセージ352 の送信と、構成パケット356の変更とはどちらの順番に行われてもよく、またはほぼ同時に行われてもよい。変更された構成パケットと解除開始メッセージが同時に受信されたならば、アクセス端末は受信された構成パケットに反応する前に解除開始メッセージに応答して解除メッセージを送信する。
【手続補正１１】
【補正対象書類名】明細書
【補正対象項目名】００５９
【補正方法】変更
【補正の内容】
【００５９】
図４Ｃでは、プロセスはステップ406 から、ステップ404 で生成されたＤＲＣ値の値の評価ステップ442 へ進行する。ステップ442 で、新しく生成されたＤＲＣ値がゼロレートのＤＲＣ値であるならば、アクセス端末はステップ446 で“オン切換えタイマ”を停止させる。例示的な実施形態では、既に消勢されているときオフ切換えタイマの停止はオン切換えタイマの状態に変化を生じない。別の実施形態では、ステップ446 はオン切換えタイマの状態をチェックし、前に付勢されているならば単に消勢することを含んでいる。ステップ446 の後、プロセスは次のタイムスロットの処理で継続する（図４Ａのステップ402 ）。
【手続補正１２】
【補正対象書類名】明細書
【補正対象項目名】００６０
【補正方法】変更
【補正の内容】
【００６０】
ステップ442 で、新しく生成されたＤＲＣ値がゼロレートよりも大きかったならば、アクセス端末はステップ444 でオン換えタイマの状態を評価する。オン切換えタイマがアクチブであるがステップ444 において終了するならば、アクセス端末はステップ452 でオン切換えタイマを消勢し、ステップ454 でその送信機を再度オンに切換える。オン切換えタイマがステップ444 で終了しないならば、アクセス端末は（ステップ448 で）オン切換えタイマが既に付勢されているか否かをチェックする。ステップ448 でオン切換えタイマが付勢されていないならば、アクセス端末はステップ450 でオン切換えタイマを付勢する。オン切換えタイマを付勢するステップ450 は特定されたオン切換え期間後にタイマが終了するように設定することを含んでいる。例示的な実施形態では、オン切換え期間は約１３．３３ミリ秒または継続期間１．６７ミリ秒の８スロットである。別の実施形態では、オン切換え期間は約２６．６７ミリ秒または継続期間１．６７ミリ秒の１６スロットである。付勢されたオン切換えタイマの終了はその送信機をオンに切換えるためのアクセス端末に対する信号として作用する。ステップ448 で、オン切換えタイマが既に付勢されているならば、プロセスは次のタイムスロットの処理で継続する（図４Ａのステップ402 ）。
【手続補正１３】
【補正対象書類名】明細書
【補正対象項目名】００６１
【補正方法】変更
【補正の内容】
【００６１】
図５Ａは１実施形態にしたがって構成された例示的な高データレート基地局504 および基地局制御装置（ＢＳＣ）510 の基本的なサブシステムを示しているブロック図である。ＢＳＣ 510と基地局504 は図１の無線ネットワーク120 等の無線ネットワークのコンポーネントとして作用する。また、図１を参照すると、ＢＳＣ 510は１以上のパケットネットワークインターフェース524 によりパケットデータネットワーク124 および126 とインターフェースしている。１つの基地局504 だけが簡潔性のために示されているが、無線ネットワーク120 は多数の基地局504 と基地局制御装置510 を具備してもよい。ＢＳＣ 510はパケットネットワークインターフェース524 を経て各アクセス端末（図１から110 ）とパケットデータネットワーク126との間の通信を調整する。無線ネットワーク120 はまたセクタ素子514 と公共交換電話網すなわちＰＳＴＮ（図示せず）との間に配置されるインターワーキング機能すなわちＩＷＦ（図示せず）を含んでもよい。
【手続補正１４】
【補正対象書類名】明細書
【補正対象項目名】００６３
【補正方法】変更
【補正の内容】
【００６３】
パケットネットワークインターフェース524 は接続554 を介してパケットデータネットワーク126からデータを受信し、パケットデータの目的地アドレスを検査し、目的地アクセス端末に関連するセレクタ素子514 へデータを伝送する。接続が無線ネットワーク120 と目的地アクセス端末との間で設定されていないならば、呼制御プロセッサ516 はアクセス端末との接続をセットアップする。接続のセットアップにはアクセス端末のページングと、セレクタ素子514 と１以上のトラフィックチャンネルのアクセス端末への割当が含まれている。単一のアクセス端末への接続に割当てられた各トラフィックチャンネルは異なる基地局に属す。トラフィックチャンネルによりアクセス端末と通信する基地局504 はアクセス端末の“サービス基地局”と呼ばれる。アクセス端末接続に割当てられたセレクタ素子514 はパケットネットワークインターフェース524 から受信されたパケットデータを目的地アクセス端末のサービス基地局504 へ送信するために使用される。
【手続補正１５】
【補正対象書類名】明細書
【補正対象項目名】００６５
【補正方法】変更
【補正の内容】
【００６５】
例示的な実施形態では、各基地局504 はアクチブアクセス端末に関連する各トラフィックチャンネルの順方向リンクデータ待ち行列540 を維持する。アクセス端末に送信されるパケットデータは、基地局制御プロセッサ512 が順方向リンクタイムスロットの目的地アクセス端末としてアクセス端末を選択するまで、アクセス端末の関連される順方向リンクデータ待ち行列中に記憶される。
【手続補正１６】
【補正対象書類名】明細書
【補正対象項目名】００６９
【補正方法】変更
【補正の内容】
【００６９】
呼制御プロセッサ516 と基地局制御プロセッサ512 はマイクロプロセッサ、フィールドプログラム可能なゲートアレイ（ＦＰＧＡ）、プログラム可能な論理装置（ＰＬＤ）、デジタル信号プロセッサ（ＤＳＰ）、特定用途集積回路（ＡＳＩＣ）または必要な振幅と位相の制御信号を発生し調節できるその他の装置を使用して構成される。例示的な実施形態では、ＢＳＣ 510と基地局504 との間の通信は迂回中継接続により伝送される。迂回中継接続を流れる情報は呼制御プロセッサ516 と基地局制御プロセッサ512 との間の通信を含んでいる。ＢＳＣ 510と基地局504 との間の迂回中継接続は、地下ケーブルまたはマイクロ波Ｔ１またはＴ３或いはＯＣ３等の光ファイバのような適切な接続装置を使用して行われる。
【手続補正１７】
【補正対象書類名】明細書
【補正対象項目名】００８３
【補正方法】変更
【補正の内容】
【００８３】
別の実施形態は可変レートの送信をサポートできる他のハードウェアアーキテクチャに応用可能である。例えば、別の実施形態は光ファイバチャンネルを使用するシステムに適用され、ここでは図１の無線通信チャンネル112 は光ファイバ内に存在する図５Ａ−５Ｂの光ファイバ通信チャンネルと順方向リンク550と逆方向リンク552に置換される。図５Ａ−５Ｂのアンテナ560 と546 は光ファイバインターフェースで置換される。